(57)【特許請求の範囲】
【請求項１】
トロヨケと、ストライクとから成るデッド用受け金具に於いて、前記ストライクの矩形開口の幅寸法は、前記デッドの両側面に対して所要の間隙が生じるように設定され、一方、前記トロヨケには、摺動自在なデッドキャッチャーと該デッドキャッチャーを所定位置へと付勢する付勢手段を組込み、デッドキャッチャーの一側面には、水平方向へ開く扉の反り具合に対応してデッドの先端部に係合する複数の係合部分が設けられ、これらの係合部分は、前記一側面の中心部（センター部分）に相当する垂直の係止面と、この垂直の係止面から矩形開口に向かって外方向へ左右対称に形成された外拡段差状係止面とから成り、前記扉が反った時には、前記デッドは中心部から外れた前記外拡段差状係止面に係合する反面、前記扉の反りが戻った時には、前記デッドは中心部の前記垂直の係止面に捕捉係合されることを特徴とするデッド用受け金具。
【請求項２】
請求項１に於いて、デッドの先端部は、デッドキャッチャーの係合部分の形状に対応して形成されていることを特徴とするデッド用受け金具。
【請求項３】
トロヨケと、ストライクとから成るデッド用受け金具に於いて、前記ストライクの矩形開口の幅寸法は、前記デッドの両側面に対して所要の間隙が生じるように設定され、一方、前記トロヨケには、摺動自在なデッドキャッチャーと該デッドキャッチャーを所定位置へと付勢する付勢手段を組込み、デッドキャッチャーの一側面には、水平方向へ開く扉の反り具合に対応してデッドの先端部に係合する係合部分が設けられ、該係合部分は前記一側面の中心部（センター部分）から前記矩形開口に向かって外方向へ楔状に外拡形成された左右対称の垂直係止面であり、前記扉が反った時には、前記デッドは中心部から外れた係合部分に係合する反面、前記扉の反りが戻った時には、前記デッドは中心部に捕捉係合されることを特徴とするデッド用受け金具。
【請求項４】
請求項３に於いて、デッドキャッチャーの外側の両端面が、ストライクの内壁面に突出形成された左右一組のストッパーに受け止められていると共に、デッドキャッチャーがトロヨケの左右の内壁面に接触状態で案内されることを特徴とするデッド用受け金具。
【発明の詳細な説明】
【技術分野】
【０００１】
本発明は、デッド用受け金具に関する。
【背景技術】
【０００２】
マンション、オフイスビル、住宅などの玄関等には、室外又は室内方向へ開く形式の扉が取付けられている。この種の扉は、自由端部にデッドボルト（以下、「デッド」という。）を備えた錠前が取付けられ、その他端部に丁番を介して縦枠に回動可能に取付けられている。一方、前記縦枠には、トロヨケと、ストライクとから成るデッド用の受け金具が取付けられている。
【０００３】
ところで、特許文献１は、ラッチ用の受け金具に関するものであるが、扉に反りが生じた場合でもラッチが突入可能であると共に、扉に反りが生じていない場合には扉がガタ付かないラッチ受箱を提供する旨の記載があり、該ラッチ受箱には、付勢手段と、該付勢手段に付勢された複数枚の縦長状スペーサを内装する事項が記載されている。
また、特許文献２は、引き違い戸の鎌錠装置に関するものであるが、該鎌錠装置を構成するカマ用の受け金具にカマの先端部を受ける段差状の鎌受け摺動片をその付勢手段と共に内装する事項が記載されている。
【０００４】
しかし、特許文献１及び特許文献２には、扉が左側（室内側）、或いは右側（室外側）へガタ付いた場合に於いて、デッドを受け金具に内装したデッドキャッチャーの中央部（センター部分）で捕捉係合することにより、扉のガタ付き防止を図る旨及び該目的を達成するための具体的構成は記載されていない。
【特許文献１】特開２００５−３３０７０４号公報
【特許文献２】特開２００１−３１１３３４号公報
【発明の開示】
【発明が解決しようとする課題】
【０００５】
本発明の第１の目的は、扉が室内側、或いは室外側へ反った場合に於いて、デッドがストライクに衝突しないことである。第２の目的は、扉の反りが戻った場合には、デッドをデッドキャッチャーの中央部で捕捉して、扉のガタ付防止を図ることである。第３の目的は、部品点数を少なくして、組み合わせの容易化を図ることである。
【課題を解決するための手段】
【０００６】
本発明のデッド用受け金具は、トロヨケと、ストライクとから成るデッド用受け金具に於いて、前記ストライクの矩形開口の幅寸法は、前記デッドの両側面に対して所要の間隙が生じるように設定され、一方、前記トロヨケには、摺動自在なデッドキャッチャーと該デッドキャッチャーを所定位置へと付勢する付勢手段を組込み、デッドキャッチャーの一側面には、水平方向へ開く扉の反り具合に対応してデッドの先端部に係合する複数の係合部分が設けられ、これらの係合部分は、前記一側面の中心部（センター部分）に相当する垂直の係止面と、この垂直の係止面から矩形開口に向かって外方向へ左右対称に形成された外拡段差状係止面とから成り、前記扉が反った時には、前記デッドは中心部から外れた前記外拡段差状係止面に係合する反面、前記扉の反りが戻った時には、前記デッドは中心部の前記垂直の係止面に捕捉係合されることを特徴とする。
【０００７】
また、本発明のデッド用受け金具は、トロヨケと、ストライクとから成るデッド用受け金具に於いて、前記ストライクの矩形開口の幅寸法は、前記デッドの両側面に対して所要の間隙が生じるように設定され、一方、前記トロヨケには、摺動自在なデッドキャッチャーと該デッドキャッチャーを所定位置へと付勢する付勢手段を組込み、デッドキャッチャーの一側面には、水平方向へ開く扉の反り具合に対応してデッドの先端部に係合する係合部分が設けられ、該係合部分は前記一側面の中心部（センター部分）から前記矩形開口に向かって外方向へ楔状に外拡形成された左右対称の垂直係止面であり、前記扉が反った時には、前記デッドは中心部から外れた係合部分に係合する反面、前記扉の反りが戻った時には、前記デッドは中心部に捕捉係合されることを特徴とする。
【０００８】
ここで、「楔状」には、Ｖ字形状のほか、センター部分を有する湾状も含まれる。
【発明の効果】
【０００９】
（１）ストライクの矩形開口の幅寸法を、デッドの室内側の側面及び室外側の側面に対してそれぞれ所要の間隙が生じるように設定したので、扉が室内側又は室外側のいずれに反った場合に於いても、デッドがストライクの矩形開口縁部に衝突しない。
（２）デッドがデッドキャッチャーの中心部を基準として、室内側又は室外側のいずれかの係合部分に係合している場合に於いて、扉の反りが戻った時、デッドはデッドキャッチャーの中心部（センター部分の係止面）で捕捉係合される。したがって、扉の反りが原因で、一時的には扉のガタ付きが発生しても、最終的には、扉のガタ付きを防止することができる。
（３）請求項２に記載の発明は、デッドとデッドキャッチャーの係合関係が良好なものとなる。
（４）請求項４に記載の発明は、デッドキャッチャーの外側の両端面が、ストライクの内壁面に突出形成された左右一組のストッパーに受け止められていると共に、デッドキャッチャーがトロヨケの左右の内壁面に接触状態で案内される実施例の場合には、部品点数が少なくなるので、組み立てが容易となる。
【発明を実施するための最良の形態】
【００１０】
以下、図１乃至図７に示す本発明を実施するための最良の形態（第１実施例）により説明する。
【００１１】
（１）発明の実施の環境
図１、図２に於いて、１は扉用縦枠、２はデッド用受け金具、３は水平方向へ開閉する扉、４は錠前、５はデッドボルト（以下、「デッド」という。）、６はサムターンユニットの摘み、７はフロントである。そして、前記デッド用受け金具２は、トロヨケ８と、該トロヨケに対して固定されると共に、扉側のフロントから突出するデッド５を受け入れる矩形開口１０を有するストライク９とから成る。
【００１２】
なお、錠前は電気錠か、それとも機械式かの種類は問わない。また、サムターンユニット６をシリンダー式に代えることもできる。
【００１３】
図１は、説明の便宜上、扉用縦枠１に固定されたデッド用受け金具２と、扉３の自由端部側に固定された錠前４のデッド５を共に示す。また、図２は主要部の分解斜視図である。
【００１４】
周知のように、例えば室内側からサムターンユニットの摘み６を所要量（９０度）回転操作すると、錠箱内の図示しないダルマを含む駆動機構により、デッド５はフロント７からが所定量突出する。また、施錠時、デッド５が突出すると、その先端部５ａは、受け金具２に突入する。
【００１５】
また、図２を基準にすると、受け金具２のストライク９に向かって、矢印Ａの方向を、ここでは左右方向とする（矩形開口１０の幅方向でもあり、或いはデッド５の肉厚方向でもある）。
【００１６】
また、本実施例では、扉３は外開き式に図示していることから、図３を基準にすると、１１は室内側であり、一方、１２は室外側である。さらに、付言すれば、扉の縦枠１はコンクリート製の躯体に固定され、一方、扉３の基端部は丁番（図示せず）を介して他方の扉の縦枠に取付けられ、該扉３は温度条件により歪んだり或いは反ったりする場合がある。これらの事実を前提にして、本発明の実施例を詳細に説明する。
【００１７】
（２）本発明の主要部−ストライク９
まず、ストライク９の形状は、普通一般のそれと異なる所はない。すなわち、従来のデッド用受板の形状に相当するストライク９は、長方形状の金属製板材であり、その中央部には、トロヨケ８のケース状凹部１４へとデッド５を突入させる矩形開口１０が貫通形成されている。
【００１８】
次に、ストライク９の前記矩形開口１０は、普通一般にデッド５の幅（肉厚）方向の左右側面に対して若干の間隙が設定されているが、本実施例の矩形開口の幅寸法は、図７で示すように、例えば室内１１側のデッド５の側面５ｂ及び室外１２側のデッド５の側面５ｃに対してそれぞれ３ｍｍの間隙が生じるように設定されている。つまり、従来のストライク９の矩形開口に対して、本実施例のストライク９の矩形開口１０は、やや大き目に設定されている。
【００１９】
さらに、ストライク９の矩形開口１０の左右の縁部内壁面には、後述するデッドキャッチャー１６を所定位置に受け止める一組のストッパー１５が突出形成されている。
【００２０】
（３）本発明の主要部−トロヨケ８
デッド受け金具２のトロヨケ８の凹部１４には、単数又は複数のデッドキャッチャー１６と、このデッドキャッチャー１６をストライク９側に常に付勢する単数又は複数の付勢部材が収容される。実施例では、デッドキャッチャー１６は一側面に係合部分１８を有する一つのブロック片であり、また、付勢部材１７は合計４個のコイルバネである。
【００２１】
しかして、デッドキャッチャー１６は、トロヨケ８内に摺動自在に内装されていると共に、付勢手段１７によって一組のストッパー１５に当たる所定の位置まで押し出され、デッド５の先端部５ａを受けることができるように構えている。付言すれば、デッドキャッチャー１６の外拡側の一側面１８でもって、デッド５の先端部５ａを捕捉係合する。
【００２２】
そこで、デッドキャッチャー１６は、単数又は複数個（本実施例）の段差状の係合部分１８を有している。デッドキャッチャーの係合部分１８は、平面視を基準にすると、ストライクの矩形開口１０の幅寸法を考慮して、外拡段差状に形成されている。
【００２３】
すなわち、図３を基準にすると、ストライクの矩形開口１０側から、最も幅広い第１段目の係合部分（係止面）１８ａと、次に幅広い第２段目の係合部分（係止面）１８ｂと、一番奥の第３段目の係合部分（係止面）１８ｃとから成り、これらの係止面１８ａ〜１８ｃは左右対称である。ここでは、前記係止面１８ｃが中央部（センター部分）に相当する。
【００２４】
一方、デッド５の先端部５ａは、デッドキャッチャー１６の各係合部分１８ａ〜１８ｃの形状に対応して形成されている。なお、デッド５の段差状被係合部分についての符号は割愛する。
【００２５】
（３）主要部の作用
図５は主要部の作用を示す。前述したように、扉３は外の温度条件によって、「反る」、「反りが戻る」。図５の左側が「扉が矢印で示す左側に反った場合の状態」を示す。一方、図５の右側が「扉が矢印で示す右側に反った場合の状態」を示す。図５の下に「扉の反りが戻った場合の状態」を示す。
【００２６】
図５から明らかなように、デッドキャッチャー１６の各係合部分は、扉３の反り具合に対応してデッド５の段差状被係合部分を捕捉係合する。付言すると、扉が左側に反った場合の状態、又は扉が右側に反った場合の状態には、それぞれ矢印とは反対方向へガタ付きが可能な状態になることから、扉の反りが戻った場合には、当然のことながら、付勢部材１７に付勢されているデッドキャッチャー１６が矢印方向へ前進して、その中央部（センター部分）１８ｃでデッド５の先端部を捕捉する。この時、デッドキャッチャー１６の各係合部分１８ａ〜１８ｃの形状に対応して段差状に形成されていことから、両者の係合状態が良好となる（フイット状態）。
【実施例】
【００２７】
発明の実施の形態で示した実施例に於いて、デッドキャッチャー１６は、中央部から前記矩形開口１０に向かって外方向へ段差状に拡がる複数個の係合部分１８ａ〜１８ｃを有しているが、図８及び図９で示すように、デッドキャッチャー１６は、中央部１８ｃから前記矩形開口に向かって外方向へ楔状に拡がる係合部分１８を有していても良い（第２実施例）。
【００２８】
なお、第２実施例は、第１実施例と実質的には同一の発明なので、同一の符号を付して重複する説明を割愛する。また、デッドキャッチャー１６の係合部分１８の数並びにデッド５の先端部５ａの形状は、図６（イ）の実施例から、図６（ロ）の実施例に設計変更することもできる。
【産業上の利用可能性】
【００２９】
本発明は、主に建具や錠前の業界で利用される。
【図面の簡単な説明】
【００３０】
図１乃至図７は本発明の最良の実施例を示す各説明図。図８及び図９は本発明の第２実施例を示す各説明図。
【図１】実施の環境を示す概略説明図。
【図２】主要部の分解斜視図。
【図３】平面視から内部構造を示す概略説明図。
【図４】平面視から内部構造を示す概略説明図（デッドが突入した状態）。
【図５】作用の概略説明図。
【図６】図６（イ）、図６（ロ）は、デッドキャッチャーの係合部分とデッド５の先端部の形状に関する各説明図。
【図７】本発明の間隙に関する説明図。
【図８】第２実施例を示す主要部の分解斜視図。
【図９】第２実施例の作用の概略説明図。
【符号の説明】
【００３１】
1…縦枠、２…デッド用受け金具、３…扉、４…錠前、５…デッドボルト（デッド）、５ａ…デッドの先端部、５ｂ，５ｃ…デッド５の側面、７…フロント、８…トロヨケ、９…ストライク、１０…矩形開口、１１…室内、１２…室外、１４…凹部、１５…ストッパー、１６…デッドキャッチャー、１７…付勢部材、１８…係合部分、１８ｃ…中央部。
【図１】
0004785555.tif 000002
【図２】
0004785555.tif 000003
【図３】
0004785555.tif 000004
【図４】
0004785555.tif 000005
【図５】
0004785555.tif 000006
【図６】
0004785555.tif 000007
【図７】
0004785555.tif 000008
【図８】
0004785555.tif 000009
【図９】
0004785555.tif 000010